(57)【要約】【課題】暑さの異なる板状展示物類を簡単な操作で額縁本体の裏側口縁の展示物類係止部に固定できる額縁における板状展示物類の固定装置を提供する。【解決手段】額縁フレーム材２０の裏側の口縁内側に装脱可能な板状レール（１１と、この板状レール１の両側のガイド部５、５に案内されて摺動可能なスライダー２と、このスライダー２に枢着されていて手動操作により引き上げ状態と引き下げ状態の何れかの状態に保持されるレバー４とからなり、前記板状レール１の表面は前記ガイド部５、５に直交する方向に延びる多数の係止突条６ａが配列された波板部６に形成されたものとする一方、前記したレバー４にはこれを引き下げ状態とされたときに波板部６の係止突条６ａと係合してスライダー２の摺動を阻止する突条１４を設けた。【選択図】  図１
2005006739.tif 000002
【特許請求の範囲】
【請求項１】
額縁本体の裏側口縁に形成されている展示物類係止部に周縁を係止させた絵画などの板状展示物類を押圧固定する額縁における板状展示物類の固定装置であって、額縁フレーム材（２０）の裏側の口縁内側に装脱可能な板状レール（１）  と、この板状レール（１）  の両側のガイド部（５）  、（５）  に案内されて摺動可能なスライダー（２）  と、このスライダー（２）  に枢着されていて手動操作により引き上げ状態と引き下げ状態の何れかの状態に保持されるレバー（４）  とからなり、前記板状レール（１）  の表面は前記ガイド部（５）  、（５）  に直交する方向に延びる多数の係止突条（６ａ）が配列された波板部（６）  に形成されたものとする一方、前記したレバー（４）  にはこれを引き下げ状態とされたときに波板部（６）  の係止突条（６ａ）と係合してスライダー（２）  の摺動を阻止する突条（１４）を設けてあることを特徴とする額縁における板状展示物類の固定装置。
【発明の詳細な説明】
【０００１】
【発明の属する技術分野】
本発明は、額縁に絵画が描かれたキャンバスやその表面を必要に応じ覆う透明板材等の板状展示物類を裏側から固定する額縁における板状展示物類の固定装置に関するものである。
【０００２】
【従来の技術】
【特許文献１】実開昭５７−７３７３号公報
【特許文献２】特開平８−４１５号公報
【特許文献３】特開平１０−８０３４７号公報
【０００３】
一般に額縁本体の裏側口縁には額縁内に飾られる絵画や写真或いはその表面を必要に応じ覆う透明板材などの板状展示物類を支える展示物類係止部が設けられていて、額縁内に飾られた絵画などの板状展示物類は、その周縁を裏側から固定装置により押圧して前記展示物類係止部との間で固定しているが、前記したような板状展示物類はその厚さが一定でないために従来多く使用されている固定装置として代表的な卵形の止め板を回転させる形式のものでは、板状展示物類の厚さの変動に対応して固定することができず、このため、額縁自体を最も厚い板状展示物類に対応できる厚めのものとしておき、これより薄い板状展示物類を飾る場合にはスペーサーを挿入して固定するようにしなければならず、厚さの異なる複数のスペーサーが必要となるという問題があった。
【０００４】
こうした問題を解決して板状展示物類の厚さが変動しても固定できるようにした固定装置が種々提案されている。例えば、実開昭５７−７３７３号公報には、額縁の額縁フレーム材の内部に取り付けられた止着座に止着板を回動自在に取り付けたボルトを螺合し、該ボルトを回すことにより止着板の高さを調整するようにしたものが開示されているが、このようなねじにより調整するものは、調整のためのねじを回す作業に多大な時間を要するという問題があった。
【０００５】
そこで、例えば、特開平８−４１５号公報に見られるように、額縁フレーム材に展示物類の収納離脱方向に対してほぼ平行な傾斜壁を有する係合溝を形成しておき、裏止め片を備える本体を係合溝内でスライドさせることにより裏止め片の高さを調整するようにしたものも開示されているが、このような傾斜面を利用するものでは、額縁の額縁フレーム材自体が特殊な形状のものとなって汎用性に欠け、コスト高となるという問題があり、また、斜面による高さ調整であるがゆえに高さ調整により裏止め片の位置が変化して展示物類の押さえが不安定になるという問題があった。
【０００６】
これらの問題を全て解決するものとして特開平１０−８０３４７号公報に示されるように、額縁フレーム材の内側にとりつけられる基盤と、基盤に調整方向へスライド可能に組み合わせた裏止め片と、裏止め片と一体の側方に突出し突出方向に付勢される押しボタンとからなり、基盤に逆止爪が上下に連続して列設される爪板を形成して押しボタンにその逆止爪に付勢力で掛かる突部爪を設け、逆止爪を額縁の裏側としての上方へ迎え角に下方へ逃げ角に形成したものが提案されている。
【０００７】
しかしながら、このようなものは、展示物類が額縁フレーム材に取り付けられた基盤にスライド可能に組み合わせられた裏止め片により固定されるのであるが、裏止め片は基盤に列設された逆止爪に押しボタンに設けられた突部爪が掛かることにより固定される部分的固定であるために、突部爪が展示物類の荷重により変形するのを防けるように複雑な構造となって高コストになるという問題や、裏止め片を移動させるとき、特に引き上げるときには押しボタンを押さえながら移動動させなければならないもので、操作性が良くないという問題があった。
【０００８】
【発明が解決しようとする課題】
本発明は前記のような問題点を解決し、板状展示物類の厚さがいかなるものであっても簡単な操作で額縁に押圧固定できる構造が簡単で固定強度に優れた額縁における板状展示物類の固定装置を提供するためになされたものである。
【０００９】
【課題を解決するための手段】
上記の課題を解決するためになされた本発明の額縁における板状展示物類の固定装置は、額縁本体の裏側口縁に形成されている展示物類係止部に周縁を係止させた絵画などの板状展示物類を押圧固定する額縁における板状展示物類の固定装置であって、額縁フレーム材の裏側の口縁内側に装脱可能な板状レールと、この板状レールの両側のガイド部に案内されて摺動可能なスライダーと、このスライダーに枢着されていて手動操作により引き上げ状態と引き下げ状態の何れかの状態に保持されるレバーとからなり、前記板状レールの表面は前記ガイド部に直交する方向に延びる多数の係止突条が配列された波板部に形成されたものとする一方、前記したレバーにはこれを引き下げ状態とされたときに波板部の係止突条と係合してスライダーの摺動を阻止する突条を設けてあることを特徴とするものである。
【００１０】
【発明の実施の形態】
以下に図面を参照しつつ、本発明の実施形態を説明する。
図１は本発明を組み立てた状態を示し、１は額縁本体を構成する額縁フレーム材２０の裏側の口縁内側にに装脱自在に設けられる板状レール、２は板状レール１に着脱自在で、且つ、装着時には両側のガイド部５、５に沿って摺動自在とされるスライダー、４はピン３によりスライダー２に一体に枢着されるレバー４である。
【００１１】
図２及び図３は板状レール１の詳細を示すもので、板状レール１の両側面には溝状のガイド部５、５が縦方向に設けてあり、また、板状レール１の表面は前記したガイド部５、５と直交する横方向に延びる多数の係止突条６ａよりなる波板部６に形成してある。また、板状レール１の下端には表側に折り曲げて形成した係止板部７が設けてあり、裏側上方には係止爪８が設けてある。なお、波板部６を構成する係止突条６ａのピッチは０．６ｍｍ程度とすることが、また、係止板部７は板状レール１の下端をやや鋭角に折り曲げて設けることが好ましい。
【００１２】
図４乃至図６はスライダー２の詳細を示すもので、スライダー２の両側には板状レール１の両側の溝状のガイド部５、５と係合するガイド脚９、９が設けてあり、前側下面は板状展示物類の押さえ面１０とし、上面にはピン３によりレバー４を枢着するレバー受け１１、１１が設けてある。なお、レバー４は図７乃至図９に示すように、レバー受け１１、１１に枢着される枢着部１２と操作部１３とから構成してあり、背面には複数の突条１４、１４が設けてあり、この突条１４、１４のピッチは前記波板６の突条のピッチと同一としてある。また、下面には２個の係合凹部１５、１６を備えるカム１７が設けてある。
【００１３】
図１０及び図１１はピン３によってレバー４をスライダー２に枢着した状態を示し、スライダー２にはレバー受け１１、１１の下方位置にばね１８の弾発力により係合凹部１５又は１６に係合する係止部１９が設けてあり、これにより、係止部１９に係合凹部１５が係合した状態では、レバー４がスライダー２に対して図１０に示す操作部１３を引き上げた状態に保持され、係止部１９に係合凹部１６が係合した状態では、レバー４がスライダー２に対して図１１に示す操作部１３を下ろした状態に保持されることになる。レバー４が引き上げられた状態ではスライダー２とレバー４は板状レール１に対して着脱可能で、かつ装着した状態で上下に摺動可能であり、レバー４が下ろされた状態では突条１４、１４が波板６に係合してスライダー２とレバー４は板状レール１に対し固定されることになる。
【００１４】
このように構成されたものを使用してキャンバス等の板状展示物類を固定する場合には、先ず、額縁本体を構成する額縁フレーム材２０の裏側の口縁内側に板状レール１を装着する。なお、この額縁の展示物類固定装置を使用する額縁本体の１例としては、図１２に示すような断面形状のアルミ等の押し出し型材を額縁フレーム材２０とし、その端面を４５度の角度に切断して図１３に示すように組み立てたものがある。また、額縁フレーム材２０の断面形状は基本的には従来のものと同様であって、額縁本体の前面側となる下方部の内側に上端を外側に向けて延長した逆Ｌ字状の係止突部２１が設けられており、さらにその上方外側に上方に延長した係止突起２２が設けてある。
【００１５】
図１３は額縁フレーム材２０に額縁の背面側から板状レール１を装着した状態を示しており、板状レール１は従来の卵型の止め板が設けられる位置に相当する位置に装着する。また、板状レール１の額縁フレーム材２０への装着は、図１４に示すように係止突部２１に係止板部７を係止させ、係止突起２２に係止爪８を係止させる。そして、板状レール１を装着した後にキャンバス等の板状展示物類２４を額縁内に収容し、レバー４を引き上げられた図１０に示す状態としたスライダー２を板状レール１に装着する。このときスライダー２は上下に摺動自在であるので、押さえ面１０が収容された展示物類の背面に当接した状態でレバー４を下ろせば、図１５及び図１６に示すように、突条１４、１４は波板６に係合してスライダー２とレバー４が板状レール１に対し固定される。このとき、レバー４は係合凹部１６に係止部１９が係合しているので下ろされた状態が保持され、スライダー２は板状展示物類２４を確実に固定することとなる。
【００１６】
次に、板状展示物類２４を取り出す場合には、レバー４を引き上げることにより突条１４、１４と波板６との係合が解かれ、スライダー２は上下に摺動自在になるので上方に摺動させて板状レール１から離脱させることができ、板状展示物類２４の取り出し、入れ替え等を行うことができる。このとき、係合凹部１５と係止部１９とが係合しているので引き上げられた状態が保持され、スライダー２は容易に上下動あるいは着脱が行える。なお、レバー４をスライダー２に枢着するピン３としては、図１７に示すような両端にフランジがあり先端部に擦り割りを設けたものを使用することが組み立てを容易にすることから好ましい。
【００１７】
【発明の効果】
本発明は前記説明から明らかなように、レバーが板状レールと係合する状態と係合しない状態のいずれかの状態に的確容易に保持できるようにしたので、スライダーの板状レールへの着脱並びにスライダーを装着した状態でのスライダーの摺動が容易である。また、レバーの複数の突条を波板に係合させることによってスライダーを板状レールに固定するようにしたので、多数の突条の係合により強固に固定され、また、突条のピッチを細かくできるのでどのような厚さの板状展示物類にも対応できる利点がある。しかも比較的単純な形状の少数の部品から構成されるので低コストとなる利点もある。
従って、本発明は従来のこの種の額縁における板状展示物類の固定装置の問題点を解決したものとして業界に寄与するところ極めて大である。
【図面の簡単な説明】
【図１】本発明を組み立てた状態で示す斜視図である。
【図２】板状レールの斜視図である。
【図３】板状レールの側面図である。
【図４】スライダーの斜視図である。
【図５】スライダーの縦断側面図である。
【図６】スライダーの平面図である。
【図７】レバーの斜視図である。
【図８】レバーの側面図である。
【図９】レバーの背面図である。
【図１０】スライダーとレバーを組み合わせた状態を示す縦断側面図である。
【図１１】スライダーとレバーを組み合わせた状態を示す縦断側面図である。
【図１２】額縁フレーム材の一例を示す断面図である。
【図１３】額縁に板状レールを装着した状態を示す平面図である。
【図１４】額縁に板状レールを装着した状態を示す縦断側面図である。
【図１５】板状展示物類を固定した状態を示す縦断側面図である。
【図１６】板状展示物類を固定した状態を示す斜視図である。
【図１７】ピンの例を示す斜視図である。
【符号の説明】
１    板状レール
２    スライダー
４    レバー
５  ガイド部
６波板部
６ａ    係止突条
１４    突条
２０    額縁フレーム材
【図１】
2005006739.tif 000003
【図２】
2005006739.tif 000004
【図３】
2005006739.tif 000005
【図４】
2005006739.tif 000006
【図５】
2005006739.tif 000007
【図６】
2005006739.tif 000008
【図７】
2005006739.tif 000009
【図８】
2005006739.tif 000010
【図９】
2005006739.tif 000011
【図１０】
2005006739.tif 000012
【図１１】
2005006739.tif 000013
【図１２】
2005006739.tif 000014
【図１３】
2005006739.tif 000015
【図１４】
2005006739.tif 000016
【図１５】
2005006739.tif 000017
【図１６】
2005006739.tif 000018
【図１７】
2005006739.tif 000019